(57)【特許請求の範囲】
【請求項１】
丁張りに使用される貫材の両側面および先端面を一体で覆い、前記貫材の上面側および下面側が開口するようにして配置される反射シート材と、
前記反射シート材に設けられ、前記貫材の周方向に巻き付ける態様で固定することで前記反射シート材を前記貫材に取り付ける固定部材と
を備えたことを特徴とする丁張り用標示体。
【請求項２】
前記反射シート材には、前記貫材の先端面を覆う位置に長穴が形成されており、この長穴の上側および下側のいずれか一方または両方には、前記反射シート材の上辺または下辺から前記長穴に向かって凹んだ逃げ部が形成されていることを特徴とする請求項１に記載の丁張り用標示体。
【請求項３】
前記固定部材は、前記反射シート材の長手方向の両端部に貫通穴部をそれぞれ形成したものであり、一方の前記貫通穴部には、前記貫材の外周長さよりも長い両面ファスナーが挿通された状態で固定されており、他方の前記貫通穴部には、前記貫材に取り付けるときに前記両面ファスナーが挿通されるようになっていることを特徴とする請求項１または請求項２に記載の丁張り用標示体。
【請求項４】
前記固定部材は、前記反射シート材が前記貫材に配置された状態で、前記貫材の両側面側でそれぞれ突出する引っ掛け部と、前記貫材の周方向に巻き付けられ、両側面側の前記引っ掛け部に引っ掛けられるゴムバンドとで構成されていることを特徴とする請求項１または請求項２に記載の丁張り用標示体。
【請求項５】
前記固定部材は、前記反射シート材が前記貫材に配置された状態で、前記貫材の両側面側に設けられたループ材またはフック材のいずれか一方と、前記貫材の周方向に巻き付けられ、両側面側の前記ループ材またはフック材のいずれか一方に固定されるフック材またはループ材のいずれか他方とで面ファスナーとして構成されていることを特徴とする請求項１または請求項２に記載の丁張り用標示体。
【請求項６】
前記反射シート材の前記貫材と接触する裏面側に摩擦部材が設けられていることを特徴とする請求項１から請求項５のいずれか１つに記載の丁張り用標示体。
【発明の詳細な説明】
【技術分野】
【０００１】
本発明は、工事現場で使用される丁張りに取り付けることで、この丁張りの位置を知らせるための丁張り用標示体に関する。
【背景技術】
【０００２】
従来、土木工事において切り土或いは盛り土などを行うための目印として、丁張りが使用されている。より詳細には、この丁張りは、法面の法肩、法尻の位置や勾配等を示すものであり、これらの位置或いは数値を表す所定の位置毎に設置される。また、一般的に使用される丁張りは、木材を組み合わせてその形状を作ることで、上述した法面や勾配などの基準を示している。重機を操作する作業者は、この丁張りの形状や隣り合う丁張り間に張られる水糸を基準にして作業を行うことになる。
【０００３】
このような丁張りは、工事期間中において、その位置がずれたり破損したりすることのないようにしなければならない。例えば、特許文献１で開示されている技術では、水平方向に延びる丁張り（水貫）の先端部分を基端部側に向けて折り返し（折り畳み）できるようにしている。これにより、重機が走行する狭いスペースにおいて、水貫の先端部分を折り返すことで広いスペースを確保し、重機と接触して丁張りが破壊されることのないようにしている。
【０００４】
また、特許文献２で開示されている技術では、丁張（水貫）の全長に亘って被覆するカバー部材を水貫の上側から嵌め込むようにしている。これにより、水貫の強度を高めると共に風雨や生コンクリートの浸食から水貫を防御し、水貫に歪みや破損が生じないようにしている。また、このカバー部材の外側面には、長さ方向に沿って２色模様が交互に色刷りされており、順次積み重ねていくコンクリートブロックの高さや幅を知るためのスケールとして使用されている。
【先行技術文献】
【特許文献】
【０００５】
【特許文献１】実開平０４−３０４１５号公報
【特許文献２】実開平０４−１１９８３２号公報
【発明の概要】
【発明が解決しようとする課題】
【０００６】
丁張りが破損する状況としては、主に２つの場合が挙げられる。１つ目は、上述した工事用の重機が丁張りにぶつかってしまう場合である。上述した特許文献１の技術は、このような場合に有効に対処できるものである。
【０００７】
２つ目としては、一般車両、歩行者・自転車など（以下、通行人等という）が通行する際に、丁張りに気付かずにぶつかってしまう場合である。特に、街灯がない道路工事現場では視認性が悪いため、その道路を夜間に通行する通行人等が丁張りに気付かずにぶつかってしまうことがある。従来では、設置されたそれぞれの丁張りの近くにカラーコーン（登録商標）をそれぞれ配置して通行人等に注意を促すようにしている。しかしながら、カラーコーンは容易に動かせてしまうので、例えば強風でカラーコーンが倒れたり飛ばされたりすることがあり、十分な対応策とはいえなかった。
【０００８】
本発明は、上述した事情を鑑みてなされたものであり、その目的は、丁張りが設置されている場所を通行人等に知らせて注意を促すことができる丁張り用標示体を提供するためのものである。
【課題を解決するための手段】
【０００９】
上述課題を解決するため、本発明は、丁張りに使用される貫材の両側面および先端面を一体で覆い、前記貫材の上面側および下面側が開口するようにして配置される反射シート材と、前記反射シート材に設けられ、前記貫材の周方向に巻き付ける態様で固定することで前記反射シート材を前記貫材に取り付ける固定部材とを備えたことを特徴とする。
【００１０】
また、前記反射シート材には、前記貫材の先端面を覆う位置に長穴が形成されており、この長穴の上側および下側のいずれか一方または両方には、前記反射シート材の上辺または下辺から前記長穴に向かって凹んだ逃げ部が形成されていてもよい。
【００１１】
また、前記固定部材は、前記反射シート材の長手方向の両端部に貫通穴部をそれぞれ形成したものであり、一方の前記貫通穴部には、前記貫材の外周長さよりも長い両面ファスナーが挿通された状態で固定されており、他方の前記貫通穴部には、前記貫材に取り付けるときに前記両面ファスナーが挿通されるようになっていてもよい。
【００１２】
さらに、前記固定部材は、前記反射シート材が前記貫材に配置された状態で、前記貫材の両側面側でそれぞれ突出する引っ掛け部と、前記貫材の周方向に巻き付けられ、両側面側の前記引っ掛け部に引っ掛けられるゴムバンドとで構成されていてもよい。
【００１３】
さらにまた、前記固定部材は、前記反射シート材が前記貫材に配置された状態で、前記貫材の両側面側に設けられたループ材またはフック材のいずれか一方と、前記貫材の周方向に巻き付けられ、両側面側の前記ループ材またはフック材のいずれか一方に固定されるフック材またはループ材のいずれか他方とで面ファスナーとして構成することもできる。
【００１４】
また、前記反射シート材の前記貫材と接触する裏面側に摩擦部材が設けられていてもよい。
【発明の効果】
【００１５】
本発明に係る丁張り用標示体では、丁張りに使用される貫材の両側面および先端面を一体で覆っているので、光源からの光を反射シート材で反射させ、この反射光によって丁張りが設置されている場所を通行人等に知らせて注意を促すことができる。
【００１６】
また、反射シート材は、貫材の上面が開口する（覆わない）ように配置されているので、貫材の上面で基準寸法を測定する作業の妨げにならない。また、上面に釘或いは水糸を設ける場合であっても、その取付作業および寸法測定作業の妨げにならない。
さらに、反射シート材は、貫材の下面が開口する（覆わない）ように配置されているので、雨水等が上側の開口から入り込んだとしても、下側の開口から抜けるようになる。そのため、丁張り用標示体と貫材との間に雨水や泥水が溜まることがない。さらには、上下の開口から風が抜けるようになるので、反射シート材が強風で飛ばされるおそれがない。
【００１７】
また、前記反射シート材に設けられ、前記貫材の周方向に巻き付ける態様で固定することで前記反射シート材を前記貫材に取り付ける固定部材を備えているので、貫材の両側面に反射材を着脱可能に容易に取り付けることができる。特に、貫材に釘や水糸が既に取り付けられている状態であっても、周方向に巻き付けて固定することができるので、釘や水糸と干渉しないようにして、後から丁張り用標示体を取り付けることができる。また、貫材の周方向に巻き付けて固定しているので、固定部材の固定が外れない限り反射シート材が強風で飛ばされるおそれがない。
【図面の簡単な説明】
【００１８】
【図１】本発明の第１実施の形態に係る丁張り用標示体が装着された丁張りを、道路工事現場に設置した状態を示す概要図である。
【図２】水貫の先端部分の拡大図であって、（Ａ）は道路の進行方向から見た正面図、（Ｂ）は（Ａ）のＸ方向から見た側面図である。
【図３】丁張り用標示体であって、（Ａ）は裏側から見た分解斜視図、（Ｂ）は（Ａ）の組立図であって、表側から見た斜視図である。
【図４】丁張り用標示体の展開図であって、表側から見たものである。
【図５】水貫の先端面に釘を打ち込んだ状態を示す正面図である。
【図６】丁張り用標示体の第１変形例であって、（Ａ）は表面側から見た展開図、（Ｂ）の裏側から見た展開図である。
【図７】丁張り用標示体の第２変形例であって、展開した状態を表面側から見た斜視図である。
【図８】丁張り用標示体の第３変形例であって、展開した状態を表面側から見た斜視図である。
【図９】第２実施形態における丁張り用標示体の展開図であって、表側から見たものである。
【図１０】（Ａ）は図９のＹ方向から見た拡大図、（Ｂ）は図９のＺ方向から見た拡大図である。
【図１１】図９で示す丁張り用標示体を水貫の先端部分に取り付ける前の状態を示す斜視図である。
【図１２】図１１から、丁張り用標示体を取り付けた状態を示す斜視図である。
【発明を実施するための最良の形態】
【００１９】
（第１実施例）
以下、工事現場の丁張りに取り付けられる丁張り用標示体について、図面を用いて詳細に説明する。なお、丁張りは、建物の建築作業や土地の造成作業など、様々な土木工事現場で使用されるものであるが、以下の実施例では、その一例として道路工事現場に設置される丁張りについて説明する。
【００２０】
図１は、本発明の実施の形態に係る丁張り用標示体２０が装着された丁張りを、道路工事現場に設置した状態を示す概要図である。なお、以下の説明で使用する方向で、道路の幅方向Ｈ、道路の進行方向Ｒ、上下方向とは、図１で示す方向をいうものとする。
【００２１】
道路１の舗装工事或いは補修工事などを行う場合、丁張り１０は、道路１の進行方向Ｒに沿って所定の管理ポイント毎に、概ね１０ｍ〜２０ｍの間隔を空けて設置される。この丁張り１０は、道路１の側部（例えば、図１で示す土手２）の地面に打ち込まれるようにして設置される。
【００２２】
丁張り１０は、図１に示すように、複数の角形の木材を組み合わせて作られるものであり、図１では、２本の水杭１１ａ、１１ｂと、水貫１１ｃとで構成されている。なお、図１において、角形に形成された水貫１１ｃの上面を符号１２、下面を符号１３、道路１の進行方向Ｒにおける両側面を符号１４ａ、１４ｂ、道路１の幅方向Ｈにおける先端面を符号１５で示す。
【００２３】
水杭１１ａ、１１ｂは、地面に略垂直に打ち込まれるものである。水貫１１ｃは、道路１の設計上の路面に対し水平に配置され、測量された所定の高さ（例えば、出来上がり寸法から３０ｃｍの高さ）に水貫１１ｃの上面１２が位置するようにして取り付けられる。また、水貫１１ｃの上面１２には、施工幅や施工断面変化ポイントを明示するための釘Ｋが打ち込まれている。この釘Ｋには、隣り合う丁張り１０の間に亘って、道路１の進行方向Ｒに沿って水糸Ｍが張られるようになる。この水糸Ｍも出来上がり寸法の基準線として使用される。
【００２４】
これらの水杭１１ａ、１１ｂおよび水貫１１ｃの木材は、各工事現場において寸法（厚さ、幅、長さ）が異なるものがそれぞれ用いられている。一般的に使用される水杭１１ａ、１１ｂには、厚さ４５ｍｍ、幅４５ｍｍ、長さ１０００ｍｍのものが使用されている。また、水貫１１ｃには、厚さ１８ｍｍ、幅４５ｍｍ、長さ１８００ｍｍのものが使用されている。
【００２５】
なお、丁張りには，上述した水杭１１ａ、１１ｂと水貫１１ｃ以外にも、斜めに配置される筋交い貫（図示せず）などが取り付けられることがある。この筋交い貫は、例えば土手２の傾斜・勾配を標示するために使用される。このように、丁張りには、工事現場の状況や工事内容に合わせて種々の貫材（本明細書では、水貫、筋交い貫などの総称とする）が組合せて使用されている。
【００２６】
図１に戻って、このような丁張り１０を設置する場合、水杭１１ａ、１１ｂは土手２に打ち込まれるが、水貫１１ｃは、その先端部分Ｓが道路１と土手２の境界線３を超えて、道路１の内側に突出する態様で組み立てられる。同様に、釘Ｋおよび水糸Ｍも、境界線３よりも道路１の内側で張られるようになる。そのため、道路（特に、街灯のない夜間の道路）を通行する通行人等が水貫１１ｃの先端部分Ｓにぶつかってしまい、丁張り１０が破損するという事例が発生している。
【００２７】
図２は、水貫１１ｃの先端部分Ｓの拡大図であって、（Ａ）は道路１の進行方向Ｒから見た正面図、（Ｂ）は（Ａ）のＸ方向から見た側面図である。また、図３は、先端部分Ｓに取り付けられる丁張り用標示体２０を単体で示したものであり、（Ａ）は裏側から見た分解斜視図、（Ｂ）は（Ａ）の組立図であって、表側から見た斜視図である。さらに、図４は、丁張り用標示体２０の展開図であって、表側から見たものである。また、図５は、水貫１１ｃの先端面１５に釘Ｋを打ち込んだ状態を示す正面図である。
【００２８】
丁張り用標示体２０は、図１および図２に示すように、水貫１１ｃの先端部分Ｓの側面を覆うようにして取り付けられている。このように取り付けられた状態では、詳細は後述する反射シート材２１の表面２１ａは、水杭１１ｃの側面１４ａ、１４および水杭１１ｃの先端面１５を一体で覆い、水貫１１ｃの上面１２および下面１３が開口するようにして配置される。
【００２９】
丁張り用標示体２０は、図３および図４に示すように、帯状に長尺に形成された反射シート材２１と、この反射シート材２１を水貫１１ｃに固定するための固定部材２２とで構成されている。また、固定部材２２は、反射シート材２１の長手方向の両側にそれぞれ取り付けられた表側固定具２２ａおよび裏側固定具２２ｂと、２つの表側固定具２１ａにそれぞれ取り付けられるゴムバンド４０ａ、４０ｂとで構成されている。
【００３０】
反射シート材２１は、光源（例えば、ヘッドライト、自転車のライトなど）からの光を反射させ、通行人等が視認できるようにしたものである。本実施例の水貫１１ｃは、地面から約３０〜５０ｃｍの高さに取り付けられるものであり、光源からの光を通行人等の目の位置へ反射させる角度において、特に高い反射特性が得られるものが使用されている。
【００３１】
この反射シート材２１は、柔軟に変形するものであり、取り付けられる水貫１１ｃの形状に合わせて自由に変形する。また、反射シート材２１の配色は、単色（例えば、白色、黄色など）で構成されている。また、反射シート材２１を２色で構成し、道路１の進行方向Ｒにおける進行車線側の色と、反対車線側の色とを異ならせて、道路１の進行方向Ｒに沿って配置された複数の丁張り用標示体２０をデリネーターのような視線誘導標として使用するようにしてもよい。この場合、２つの異なる色の反射シート材を、丁張り用標示体のほぼ中央でウェルダー加工によって超音波溶着させてつなぎ合わせて形成することができる。
【００３２】
この反射シート材２１は、その全体を反射シート材として製作したものであってもよく、樹脂材料で形成された柔軟性を有するシート材の表面に反射材を貼り付けたものであってもよい。
【００３３】
反射シート材２１には、長手方向のほぼ中央部に長穴２５が形成されている。また、反射シート材２１の長穴２５の上側および下側には、反射シート材２１の上辺２４ａおよび下辺２４ｂが長穴２５に向かって凹んだ形状の逃げ部２６がそれぞれ形成されている。さらに、反射シート材２１の長手方向の両端部には、表側固定具２１ａおよび裏側固定具２１ｂを取り付けるための２つの取付穴３１がそれぞれ形成されている。
【００３４】
表側固定具２２ａおよび裏側固定具２２ｂは、樹脂材料で成形されたものであり、反射シート材２１の表側および裏側から挟むようにして取り付けられる。この表側固定具２２ａには、上述した取付穴３１に対応した位置に取付穴３４が形成されており、同様に、裏側固定具２２ｂには、この取付穴３１、３４に対応した位置に取付突起３２が形成されている。この取付突起３２を反射シート材２１の取付穴３１に挿通させ、表側固定具２２ａの取付穴３４に嵌合させることによって、反射シート材２１および表側固定具２２ａ、裏側固定具２２ｂが組み付けられる（図３（Ｂ）参照）。
【００３５】
また、表側固定具２２ａには、反射材表面２１ａ側（図２（Ｂ）で示す水貫１１ｃの両側面側）から外側に向かって突出する引っ掛け部３３が設けられている。この引っ掛け部３３は、正面から見て丸形に形成されており、引っ掛け部３３の基端部には、径方向にくびれたくびれ部３３ａが形成されている。このくびれ部３３ａには、図２（Ｂ）および図４に示すように、上下を逆にして互い違いに２本のゴムバンド４０ａ、４０ｂが引っ掛けられる。
【００３６】
このゴムバンド４０ａ、４０ｂは、図２（Ｂ）に示すように、水貫１１ｃの上側部分または下側部分を通してそれぞれの引っ掛け部３３に引っ掛けられ、この２つのゴムバンド４０ａ、４０ｂが水貫１１ｃの断面における周方向の全体に巻き付けられるようになる。固定部材２２は、このゴムバンド４０ａ、４０ｂの弾性によって水貫１１ｃを締め付けており、これにより丁張り用標示体２０が貫材１１ｃに固定される。
なお、図２（Ｂ）および図４では、２本のゴムバンド４０ａ、４０ｂを設けているが、１本のゴムバンドで構成し、水貫１１ｃの周方向に１周回して引っ掛け部３３に引っ掛けるようにしてもよい。
【００３７】
次に、丁張り用標示体２０の取り付け方法について説明する。
取付方法としては、図２（Ａ）、図２（Ｂ）に示すように、反射シート材２１の長穴２５を水貫１１ｃの先端面にあてがった後に、水貫１１ｃの両側面１４ａ、１４ｂに沿って折り曲げるようにして配置する。そして、両側面１４ａ、１４ｂ側でそれぞれ突出する引っ掛け部３３にゴムバンド４０ａ、４０ｂを引っ掛けて固定する。このように、作業者は、水貫１１ｃの先端部分Ｓに丁張り用標示体２０を容易に取り付けることができ、かつ、取り外しも容易に行うことができる。
【００３８】
また、水貫１１ｃの上面１２側を覆っていないので、丁張り用標示体２０を取り付けた後に、水貫１１ｃの上面１２に釘Ｋを打ち付け、水糸Ｍを張る作業を行うことができる。逆に、釘Ｋおよび水糸Ｍが先に取り付けられた状態であっても、固定部材２２のゴムバンド４０ａ、４０ｂを水貫１１ｃの周方向に巻き付けて固定するようにしているので、釘Ｋおよび水糸Ｍに干渉しないようにして、後から丁張り用標示体２０を取り付けることができる。
【００３９】
また、工事が完了した後には、丁張り用標示体２０を取り外して、他の工事現場で再利用することができる。他の工事現場で使用される丁張りの貫材の寸法（角材の寸法）は様々であるが、本実施形態の丁張り用標示体２０の構造であれば、ある程度の異なる寸法を許容することができるので、再利用が可能である。
【００４０】
一方、図５に示すように、釘Ｋを水貫１１ｃの先端面１５に打ち付けることもある。このとき、釘Ｋは、反射シート材２１の長穴２５部分から先端面１５に打ち込むことができる。さらに、水糸Ｍを張る際に、水糸Ｍが反射シート材２１と干渉することを防止するために、逃げ部２６を設けている。なお、本実施形態では、逃げ部２６を長穴２５の上下にそれぞれ設けているが、釘Ｋおよび水糸Ｍの位置に合わせて、反射シート材２１の上辺２４ａ或いは下辺２４ｂのいずれか一方或いは両方の位置に設けることもできる。
【００４１】
本発明の実施の形態に係る丁張り用標示体２０によれば、丁張り１０に使用される水貫１１ｃの両側面１４ａ、１４ｂおよび先端面１５を一体で覆い、水貫１１ｃの上面１２および下面１３が開口するようにして配置される反射シート材２１と、反射シート材２１に設けられ、水貫１１ｃの周方向に巻き付ける態様で固定することで反射シート材２１を水貫１１ｃに取り付ける固定部材２２とを備えているので、光源からの光を反射シート材２１で反射させ、この反射光によって丁張り１０が設置されている場所を通行人等に知らせて注意を促すことができる。特に、反射シート材２１を水貫１１ｃの両側面１４ａ、１４ｂに設けているので、通行人等の目線で目視することができる。
【００４２】
また、反射シート材２１は、水貫１１ｃの上面１２側が開口する（覆わない）ように配置されているので、水貫１１ｃの上面１２で基準寸法を測定する作業の妨げにならない。また、上面１２に釘或いは水糸を設ける場合であっても、その取付作業および寸法測定作業の妨げにならない。この上面１２側は、通行人等の目線で目視することができない場所であるため、反射材が配置されていなくても問題にはならない。
【００４３】
さらに、反射シート材２１は、水貫１１ｃの下面１３側が開口する（覆わない）ように配置されているので、雨水等が上側の開口から入り込んだとしても、下側の開口から抜け落ちるようになる。そのため、丁張り用標示体２０と水貫１１ｃとの間に雨水や泥水が溜まることがない。さらには、上下の開口から風が抜けるようになるので、反射シート材２１が強風で飛ばされ難くなる。この下面１３側は、通行人等の目線で目視することができない場所であるため、反射材が配置されていなくても機能的に問題にはならない。
【００４４】
また、反射シート材２１に設けられ、水貫１１ｃの周方向に巻き付ける態様で固定することで反射シート材２１を水貫１１ｃに取り付ける固定部材２２を備えているので、水貫１１ｃの両側面１４ａ、１４ｂに反射シート材２１を着脱可能に容易に取り付けることができる。特に、水貫１１ｃに釘Ｋや水糸Ｍが既に取り付けられている状態であっても、周方向に巻き付けて固定することができるので、釘Ｋや水糸Ｍと干渉しないようにして、後から丁張り用標示体２０を取り付けることができる。また、水貫１１ｃの周方向に巻き付けて固定しているので、固定部材２２の固定が外れない限り反射シート材２１が強風で飛ばされるおそれがない。
【００４５】
また、反射シート材２１には、水貫１１ｃの先端面１５を覆う位置に長穴２５が形成されており、この長穴２５の上側および下側のいずれか一方または両方には、反射シート材２１の上辺２４ａまたは下辺２４ｂから長穴２５に向かって凹んだ逃げ部２６が形成されているので、水貫１１ｃの先端面１５に釘Ｋを打ち込む必要がある場合であっても対応することができる。また、逃げ部２６を設けているので、大きさの異なる種々の貫材１１ｃに丁張り用標示体２０を取り付けるときであっても、水糸Ｍを張るときに水糸Ｍと反射シート材２１とが干渉するおそれを少なくすることができる。
【００４６】
さらに、固定部材２２は、反射シート材２１が水貫１１ｃに配置された状態で、水貫１１ｃの両側面１４ａ、１４ｂ側でそれぞれ突出する引っ掛け部３３と、水貫１１ｃの周方向に巻き付けられ、両側面１４ａ、１４ｂ側の引っ掛け部３３にそれぞれ引っ掛けられるゴムバンド４０ａ、４０ｂとで構成されているので、ゴムバンド４０ａ、４０ｂを引っ掛ける作業だけで、容易に丁張り用標示体２０を取り付けることができる。同様に、取り外しも容易に行うことができる。
【００４７】
また、ゴムバンド４０ａ、４０ｂの弾性で締め付けて固定するようにしているので、角材を用いた様々な寸法の水貫１１ｃにも取り付けることができる。そのため、工事完了後に他の工事現場で設置されている丁張りに取り付けて再利用することができる。
【００４８】
以上、本発明の第１実施形態に係る標示部材について述べたが、本発明は既述の実施形態に限定されるものではなく、本発明の技術思想に基づいて各種の変形および変更が可能である。
【００４９】
例えば、本実施の形態では、丁張り用標示体２０を水貫１１ｃの先端部分Ｓに取り付けているが、他の貫材（例えば、筋交い貫）や水杭１１ａ、１１ｂの先端部分にも任意に取り付けることができる。これにより、反射シート材２１の反射光で歩行者等に注意を促すことができる。
また、丁張り用標示体２０は、先端部分Ｓのみならず、水貫１１ｃが道路１側に突出する部分の全体を覆うように取り付けてもよい。さらに、本実施の形態では、道路工事の現場に使用される丁張り１０について説明したが、建物の建築工事、宅地造成工事など、様々な土木工事現場で使用される丁張りにも使用することもできる。
【００５０】
また、固定部材２２の構造を様々に変形して構成することもできる。図６は、丁張り用標示体の第１変形例であって、（Ａ）は表面側から見た展開図、（Ｂ）の裏側から見た展開図である。なお、本実施形態と同一の構造・効果の部材には、同一の符号を付すことで詳細な説明を省略する。
【００５１】
この第１変形例では、丁張り用標示体５０の固定部材５２は、いわゆる面ファスナーで構成されている。より詳細には、固定部材５２は、反射シート材２１の両端部に面ファスナーを構成するループ材５２ａが取り付けられ、このループ材５２ａから外側（水貫１１ｃの周方向）に延びるフック材５２ｂとで構成されている。フック材５２ｂの長さは、水貫１１ｃの周方向の全長よりも十分に長く形成されており、このフック材５２ｂをループ材５２ａに固定することで、丁張り用標示体５０を水貫１１ｃに取り付ける。
【００５２】
このような構造であっても、本実施の形態で説明した丁張り用標示体２０と同様な作用効果を奏することができる。特に、面ファスナーの構造にすることで、丁張り用標示体５０をさらに容易に着脱することができる。なお、面ファスナーの構造において、上述したループ材とフック材をそれぞれ逆にして構成することもできる。
【００５３】
また、反射シート材２１の裏面２１ｂであって、ループ材５２ａの裏側には、水貫１１ｃの側面１４ａ、１４ｂとの間で大きな摩擦係数を確保することができる摩擦部材５３を設けている。これにより、丁張り用標示体５０を水貫１１ｃに取り付けた状態で、水貫１１ｃに対する固定部材５２の位置が容易にずれないようにすることができる。その結果、丁張り用標示体５０をより確実に固定することができる。なお、このような摩擦部材５３は、本実施形態の丁張り用標示体２０や、後述する第２変形例の丁張り用標示体６０にも設けることができる。
【００５４】
図７は、丁張り用標示体の第２変形例であって、展開した状態を表面側から見た斜視図である。なお、本実施形態と同一の構造・効果の部材には、同一の符号を付すことで詳細な説明を省略する。
【００５５】
この第２変形例では、反射シート材２１の両端部を巻いた筒状部６１をそれぞれ形成し、この筒状部６１の内部に固定具６２ａを設けた構造になっている。この固定具６２ａには、反射シート材２１の上辺２４ａ側および下辺２４ｂ側のそれぞれに配置された係止爪６３と、ゴムバンド４０ａ、４０ｂを取り付けるためのゴムバンド取付部６４が設けられている。係止爪６３は、反射シート材２１の筒上部６１を保持するとともに、水貫１１ｃの周方向に巻き付けられたゴムバンド４０ａ、４０ｂが引っ掛けられるようになっている。このような構造であっても、本実施の形態で説明した丁張り用標示体２０と同様な作用効果を奏することができる。
【００５６】
なお、固定部材は、ゴムバンド、面ファスナー以外であっても、反射シート材２１を水貫１１ｃに固定できるものであれば、いずれの方法であってもかまわない。例えば、弾性のない紐を周方向にぐるぐる巻き付けて固く結んで取り付けることもできる。さらには、ホチキスのような針或いは小さな釘を反射シート材２１の表面から打ち込んで固定するものであってもかまわない。さらには、接着剤等で反射シート材２１を水貫１１ｃに固着するものであってもよい。
【００５７】
図８は、丁張り用標示体の第３変形例であって、展開した状態を表面側から見た斜視図である。なお、本実施形態と同一の構造・効果の部材には、同一の符号を付すことで詳細な説明を省略する。
【００５８】
この第３変形例は、図９に示すように、反射材を用いて文字や記号を表記した丁張り用標示体７０である。より具体的には、一般的なシート材の表面に、矢印型反射材７４を貼り付けたものである。これにより、通行人等に矢印型の反射光を認識させることができる。そのため、通行人等を矢印方向（例えば、道路の中央側）へ誘導し、通行人等が水貫１１ｃとぶつかるおそれをさらに少なくすることができる。
その他、矢印以外であっても、注意を喚起することのできる文字等で反射材を作成し標示することもできる。これにより、通行人等の安全性を高めることができる。
【００５９】
さらには、本実施形態では、光源からの光を反射させる反射シート材を用いているが、蛍光材、夜光材など、種々の材料を使用することもできる。また、反射シート材の代わりに、自ら発光可能なＬＥＤ等をシート材の表面に埋め込むようにしてもよい。このＬＥＤの電源には、ソーラーパネルを具備した太陽光発電、蓄電池、小型リチウムイオン電池など一般的な電源供給具を用いることができる。
【００６０】
（第２実施例）
以下、本発明の第２実施形態に係る丁張り用標示体について、図９〜図１２を用いて説明する。なお、以下の説明で、第１実施形態と同じ部品、構造であって同じ作用効果を奏するものについては同一の符号を付すことでその詳細な説明を省略する。また、図１で示す道路工事現場への設置状態、各種方向についても第１実施形態と同じであるため説明を省略する。
【００６１】
図９は、第２実施形態における丁張り用標示体１２０の展開図である。また、図１０（Ａ）は図９のＹ方向、（Ｂ）は図９のＺ方向から見た図である。
【００６２】
丁張り用標示体１２０は、反射シート材２１の長手方向の両端に、その端部を折り返した折り返し部１２２、１２３（固定部材）が形成されている。この折り返した端部は、超音波（高周波）溶着機によってウェルダー加工されており、上下方向に延びる溶着部１２４で溶着固定されている。これにより、折り返し部１２２、１２３のそれぞれの内側には、紙面上側から下側まで貫通する貫通穴部１２５が形成される。
【００６３】
左側の折り返し部１２２の貫通穴部１２５には、図９および図１０（Ａ）に示すように、長尺な両面ファスナー１４０が挿通されている。この両面ファスナー１４０は、帯状に長尺に形成されており、可撓性を有し、表面側にループ材１４１ａ、裏面側にフック材１４１ｂが設けられている。この両面ファスナー１４０は、上下方向に間隔を空けて取り付けられる２つのハトメ１２６によって、折り返し部１２２（反射シート材２１）で一体に取り付けられている。なお、上述した両面ファスナー１４０の表面と裏面のループ材１４１ａとフック材１４１ｂは、当然に、裏表逆で構成してあっても構わない
【００６４】
この両面ファスナー１４０の長手方向（図９の紙面上下方向）の長さＬ（反射シート材２１の上辺２４ａから上側の先端部１４３までの長さ）は、水貫１１ｃの外周を少なくとも１周以上できる長さに形成されている。すなわち、使用される水貫１１ｃの形状・大きさは種々のものがあるが、外周寸法が長いものであっても十分に１周以上できる長さＬに形成されている。
【００６５】
また、先端部１４３と逆側の端部は、図９に示すように、反射シート材２１の下辺２４ｂよりも若干突出させている。このようにすることで、ハトメ１２６で両面ファスナー１４０を固定する作業を良好に行うことができ、突出させない場合と比較して両面ファスナー１４０の固定強度を十分に確保することができる。
【００６６】
右側の折り返し部１２３には、左側の折り返し部１２２と同様に、紙面上側から下側まで貫通する貫通穴部１２５が形成されている。この貫通穴部１２５には、詳細は後述するが、水貫１１ｃの先端部に取り付けられる際に、長尺な両面ファスナー１４０が挿通されるようになる。
【００６７】
次に、丁張り用標示体１２０を水貫１１ｃの先端部分に取り付ける作業について、図１１および図１２を用いて説明する。図１１は、取り付け前の状態、図１２は、取り付が完了した状態を示している。
【００６８】
丁張り用標示体１２０は、図１１に示すように、取り付け前の状態において、両面ファスナー１４０の先端部１４３を右側の折り返し部１２３の貫通穴部１２５に通しておく。そして、この通した状態のまま、水貫１１ｃの先端部分に上側から被せるようにして設置する。このとき、丁張り用標示体１２０の上側を塞ぐものがないため、水貫１１ｃの上面１２に既に釘Ｋが打ち付けられていても、取り付け作業になんら影響を及ぼさない。
【００６９】
一方、水貫１１ｃの先端面１５に既に釘Ｋが打ち付けられている場合には（図５参照）、水貫１１ｃの先端面側から釘Ｋに長穴２５を通すようにして設置する。このように、釘Ｋの有無に係わらず、丁張り用標示体１２０を水貫１１ｃに容易に設置することができる。
【００７０】
このように設置した後、両面ファスナー１４０の先端部１４３を引っ張り、両面ファスナー１４０を弛みなく水貫１１ｃの外周に沿って巻き付けていく。両面ファスナーの長さＬは水貫１１ｃの外周長さよりも十分に長いので、両面ファスナー１４０を１周以上巻き付けた後に、両面ファスナー１４０の表面であるループ材１４１ａに裏面であるフック材１４１ｂに押し当てて固定する。これにより、丁張り用標示体１２０を緩みなくしっかりと取り付けることができる。
【００７１】
また、工事が完了した後には、この両面ファスナー１４０を逆の手順で取り外し、丁張り用標示体１２０を容易に取り外すことができる。そのため、取り外した丁張り用標示体１２０を他の工事現場で再利用することができる。
【００７２】
本発明の第２実施形態に係る丁張り用標示体１２０によれば、反射シート材２１の長手方向の両端部に貫通穴部１２５をそれぞれ形成し、一方の（左側の）貫通穴部１２５には、貫材１１ｃの外周長さよりも長い両面ファスナー１４０が挿通された状態で固定されており、他方の（右側の）貫通穴部１２５には、貫材１１ｃに取り付けるときに両面ファスナー１４０が挿通されるようになっているので、取り付け作業者は、第１実施形態の丁張り用標示体とは異なり、１つの両面ファスナー１４０を貫材１１ｃの外周方向に沿って巻き付けるだけでよく、作業が簡単になる。そのため、着脱作業時間を短縮することができる。
【００７３】
以上、本発明の第２実施形態に係る標示部材について述べたが、本発明は既述の実施形態に限定されるものではなく、本発明の技術思想に基づいて各種の変形および変更が可能である。
【００７４】
例えば、折り返し部１２２において、反射シート材２１と両面ファスナー１４０とを２つのハトメ１２６で一体に固定しているが、ハトメ１２６以外の一般的な慣用技術を用いて固定してあっても構わない。例えば、リベット止めや、反射シート材２１の上辺２４ａと下辺２４ｂの部分を溶着して固定するようにしてもよい。
【００７５】
また、溶着部１２４は、上述したウェルダー加工によって溶着されているが、他の方法で固定されていても構わない。例えば、接着、縫い合わせ、ハトメなど、他の一般的な慣用技術を用いて固定するものであってもよい。また、折り返し部１２２、１２３は、反射シート材２１の端部を折り返して貫通穴部１２５を形成しているが、この貫通穴部１２５を別体で製作し、反射シート材２１の端部に溶着して固定するものであってもかまわない。
【００７６】
さらに、反射シート材２１には、第１実施形態で変形例として示したような、種々の変形例（例えば、摩擦部材５３の適用、表面側に矢印型反射材７４を適用、道路の進行方向における２つの反射面の反射色を異ならせる、など）を第２実施形態にも適用することができる。
【符号の説明】
【００７７】
１  道路
２  土手
３  境界
１０  丁張り
１１ａ、１１ｂ  水杭
１１ｃ  水貫（貫材）
１２  水貫の上面
１３  水貫の下面
１４ａ、１４ｂ  水貫の側面
１５  水貫の先端面
２０、５０、６０、７０、１２０  丁張り用標示体
２１  反射シート材
２１ａ  反射材表面
２１ｂ  反射材裏面
２２、５２、６２  固定部材
２２ａ  表側固定具
２２ｂ  裏側固定具
２４ａ  上辺
２４ｂ  下辺
２５  長穴
２６  逃げ部
３１  取付穴
３２  取付突起
３３  引っ掛け部
３３ａ  くびれ部
４０ａ、４０ｂ  ゴムバンド
５２ａ  ループ材
５２ｂ  フック材
５３  摩擦部材
６１  筒状部
６２ａ  固定具
６３  係止爪
６４  ゴムバンド取付部
７１  シート材
７４  矢印型反射材
１２２、１２３  折り返し部（固定部材）
１２４  溶着部
１２５  貫通穴部
１２６  ハトメ
１４０  両面ファスナー
１４１ａ  ループ材
１４１ｂ  フック材
１４２  突出部
１４３  先端部
Ｌ  長さ
Ｈ  道路の幅方向
Ｒ  道路の進行方向
Ｋ  釘
Ｍ  水糸
Ｓ  水貫の先端部分
【要約】
【課題】丁張りが設置されている場所を通行人等に知らせて注意を促すことができる丁張り用標示体を提供する。
【解決手段】丁張り１０に使用される貫材１１ｃの両側面１４ａ、１４ｂおよび先端面１５を一体で覆い、貫材１１ｃの上面１２側および下面１３側が開口するようにして配置される反射シート材２１と、反射シート材２１に設けられ、貫材１１ｃの周方向に巻き付ける態様で固定することで反射シート材２１を貫材１１ｃに取り付ける固定部材２２とを備えた。
【選択図】図２【図１】
0005889989.tif 000002
【図２】
0005889989.tif 000003
【図３】
0005889989.tif 000004
【図４】
0005889989.tif 000005
【図５】
0005889989.tif 000006
【図６】
0005889989.tif 000007
【図７】
0005889989.tif 000008
【図８】
0005889989.tif 000009
【図９】
0005889989.tif 000010
【図１０】
0005889989.tif 000011
【図１１】
0005889989.tif 000012
【図１２】
0005889989.tif 000013